【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
ネットワークデバイスの接続状態を管理する情報処理装置であって、
一のネットワークデバイスから送信されたアクセス要求に基づき、当該一のネットワークデバイスとアクセスが可能な他のネットワークデバイスに関する接続状態を確認するための状態確認手段と、
前記アクセス要求に基づき、前記状態確認手段により確認された他のネットワークデバイスに関する接続状態を表示するためのアクセス情報を前記一のネットワークデバイスに通信する通信手段と
を備えることを特徴とする情報処理装置。
【請求項２】
複数のネットワークデバイスのうち、相互にアクセスが可能な各ネットワークデバイスの関係を管理する管理手段を更に備え、
前記状態確認手段は、一のネットワークデバイスから送信されたアクセス要求に基づき、前記他のネットワークデバイスを、前記管理手段で管理されている前記複数のネットワークデバイスから特定することを特徴とする請求項１に記載の情報処理装置。
【請求項３】
前記複数のネットワークデバイスに関し、ネットワークへの接続状態を識別するためのステータス情報と、当該ステータス情報の更新時間に関する情報とを管理する格納手段と、
前記格納手段で管理される前記ステータス情報及び前記更新時間に関する情報を更新する更新手段を更に備え、
前記更新手段は、前記他のネットワークデバイスの何れかから送信された状態変更要求に応じて、該当するネットワークデバイスのステータス情報及び更新時間に関する情報を更新し、
前記通信手段は、前記更新されたステータス情報及び更新時間に関する情報に基づき、前記アクセス情報に追加するための追加情報を生成し、前記一のネットワークデバイスに通信することを特徴とする請求項２に記載の情報処理装置。
【請求項４】
前記複数のネットワークデバイスに関し、ネットワークへの接続状態を識別するためのステータス情報と、当該ステータス情報の更新時間に関する情報とを管理する格納手段を更に備え、
前記更新時間と、前記アクセス情報を生成する時点の時間との時間差を求め、当該時間差が所定の時間以内の場合、前記通信手段は、前記格納手段で管理されている前記ステータス情報に従い、前記アクセス情報を生成し、前記一のネットワークデバイスに通信し、
前記状態確認手段は、前記時間差が所定の時間を超える場合、前記他のネットワークデバイスに関する接続状態を確認し、
前記通信手段は、前記状態確認の結果に基き更新されたステータス情報により、前記接続状態の確認中であることを示すステータス情報を更新し、前記一のネットワークデバイスに通信することを特徴とする請求項２に記載の情報処理装置。
【請求項５】
ネットワークデバイスの接続状態を管理する情報処理装置であって、
前記ネットワークデバイスに関し、ネットワークへの接続状態を識別するためのステータス情報を管理する格納手段と、
一のネットワークデバイスから送信されたアクセス要求に基づき、当該一のネットワークデバイスとアクセスが可能な他のネットワークデバイスに関する接続状態を表示するためのアクセス情報を、前記ステータス情報に基づき生成する生成手段と、
前記アクセス情報を前記一のネットワークデバイスに通信する通信手段と
を備えることを特徴とする情報処理装置。
【請求項６】
複数のネットワークデバイスのうち、相互にアクセスが可能な各ネットワークデバイスの関係を管理する管理手段を更に備え、
前記生成手段は、一のネットワークデバイスから送信されたアクセス要求に基づき、前記他のネットワークデバイスを、前記管理手段で管理されている前記複数のネットワークデバイスから特定することを特徴とする請求項５に記載の情報処理装置。
【請求項７】
ネットワークデバイスの接続状態を管理する情報処理装置の制御方法であって、
一のネットワークデバイスから送信されたアクセス要求に基づき、当該一のネットワークデバイスとアクセスが可能な他のネットワークデバイスに関する接続状態を確認するための状態確認工程と、
前記状態確認工程にて確認された他のネットワークデバイスに関する接続状態を表示するためのアクセス情報を前記一のネットワークデバイスに通信する通信工程と
を備えることを特徴とする情報処理装置の制御方法。
【請求項８】
ネットワークデバイスの接続状態を管理する情報処理装置の制御方法であって、
前記ネットワークデバイスに関し、ネットワークへの接続状態を識別するためのステータス情報を管理するための格納工程と、
一のネットワークデバイスから送信されたアクセス要求に基づき、当該一のネットワークデバイスとアクセスが可能な他のネットワークデバイスに関する接続状態を表示するためのアクセス情報を、前記ステータス情報に基づき生成する生成工程と、
前記アクセス情報を前記一のネットワークデバイスに通信する通信工程と
を備えることを特徴とする情報処理装置の制御方法。
【請求項９】
請求項７または８に記載の情報処理装置の制御方法を、コンピュータに実行させることを特徴とするプログラム。
【請求項１０】
請求項７または８に記載の情報処理装置の制御方法を、コンピュータに実行させるプログラムを格納したことを特徴とするコンピュータによる読み取りが可能な記憶媒体。
【手続補正２】
【補正対象書類名】明細書
【補正対象項目名】０００７
【補正方法】変更
【補正の内容】
【０００７】
すなわち、ネットワークデバイスの接続状態を管理する情報処理装置は、
一のネットワークデバイスから送信されたアクセス要求に基づき、当該一のネットワークデバイスとアクセスが可能な他のネットワークデバイスに関する接続状態を確認するための状態確認手段と、
前記アクセス要求に基づき、前記状態確認手段により確認された他のネットワークデバイスに関する接続状態を表示するためのアクセス情報を前記一のネットワークデバイスに通信する通信手段と
を備えることを特徴とする。
【手続補正３】
【補正対象書類名】明細書
【補正対象項目名】００３１
【補正方法】変更
【補正の内容】
【００３１】
CPU801は、ROM802あるいはHD807に記憶されたソフトウェア、あるいはFD808より供給されるソフトウェアを実行することで、システムバス804に接続された各構成部を統括的に制御することができる。すなわちCPU801は、後に詳細に説明する図６の処理フローに従った処理プログラムの実行主体として機能し、ROM802、あるいはHD807、あるいはFD808から供給されるプログラムを実行することで、本発明の実施形態にかかるプレゼンスサーバ104の情報処理を制御する。
【手続補正４】
【補正対象書類名】明細書
【補正対象項目名】００３３
【補正方法】変更
【補正の内容】
【００３３】
操作入力部810により、先に説明した図４の402に相当する一のネットワークデバイスからアクセス可能な他のネットワークデバイスに関する情報、403に相当する他のネットワークデバイスから一のネットワークデバイスにアクセスが許可されたネットワークデバイス群に関する情報を追加、削除、修正することが可能である。表示制御部811は表示部812を制御して、プレゼンスサーバ104における各種プログラムモジュール（通信モジュール201、要求受信処理モジュール202、アクセスリスト作成処理モジュール203、生存確認処理モジュール204）処理の状況や、操作入力部810における編集操作のための情報を可視化するための制御を行う。